(57)【要約】【課題】親時計−子時計という形態であり、屋内に設置される親時計やモニタ時計を含む塔時計駆動装置と、屋外に設置される塔時計ムーブメント間を複数の配線で接続しなければならず、また、塔時計ムーブメントが受動的要素で構成されているため、動作開始時の初期設定や動作モニタが必須という課題があった。【解決手段】時刻情報受信機とムーブメントには各々独立して電源を供給し、時刻情報受信機とムーブメント間は１対のシリアル信号線で接続し、時針の表示時刻と分針の表示時刻は、毎正分毎に１回、時刻情報受信機の時刻情報に追従して現在時刻を表示する。【選択図】図１
2008209270.tif 000002
【特許請求の範囲】
【請求項１】
ＧＰＳ衛星からの電波を受信し、時刻情報を出力する時刻情報受信機と、時針および分針に対して各々独立した指針位置検出装置および各々独立した指針駆動装置および制御駆動装置を有するムーブメントを備えた塔時計装置において、前記時刻情報受信機と前記ムーブメントには各々独立して電源を供給し、前記時刻情報受信機と前記ムーブメント間は１対のシリアル信号線で接続し、前記時針の表示時刻と前記分針の表示時刻は、毎正分毎に１回、前記時刻情報受信機の時刻情報に追従して現在時刻を表示することを特徴とする塔時計装置。
【請求項２】
前記塔時計装置への電源供給が停止した場合は、前記駆動装置による前記時針および分針の指針駆動を停止し、前記塔時計装置への電源供給が復帰した場合は、前記指針位置検出装置が作動する位置まで前記時針および前記分針を駆動し、その後、前記時針および前記分針の指針検出位置を基準に前記時刻情報受信機の時刻情報と一致するまで、前記時針および前記分針を連続駆動することを特徴とする請求項１記載の塔時計装置。
【請求項３】
前記指針位置検出装置が作動する位置でメモリ内容をクリアし、前記時針および分針の駆動毎に、前記時針の指針位置情報と前記分針の指針位置情報を記憶する指針位置メモリを備え、前記塔時計装置への電源供給が停止した場合は、前記駆動装置による前記時針および分針の指針駆動を停止し、
前記塔時計装置への電源供給が復帰した場合は、前記指針位置メモリが記憶する指針位置情報と前記時刻情報受信機の時刻情報が一致するまで、前記ムーブメントの前記時針および前記分針を連続駆動することを特徴とする請求項１記載の塔時計装置。
【請求項４】
前記時針の指針位置検出装置は、前記時針の回動軸と前記回動軸を支持する筐体間に配置され、前記時針の回動軸に対して旋回可能で、かつ、固定できることを特徴とする請求項１乃至３記載の塔時計装置。
【請求項５】
前記ムーブメントは、時差情報プリセットスイッチ機能を備えたことを特徴とする請求項１乃至３記載の塔時計装置。
【発明の詳細な説明】
【技術分野】
【０００１】
本発明は、屋外用大型時計装置に関するものであり、ビルの壁面や塔屋を文字板にして、指針が屋外に露呈した、通称「塔時計」の塔時計装置に係る。
【背景技術】
【０００２】
一般的に、塔時計は親子時計、あるいは、設備時計の一種に分類され、親時計からの信号により大型の子時計を駆動する時計装置である。従って、従来の塔時計は、時刻表示部の形状が大きくても、親時計に制御される複数の子時計のひとつであり、単独の塔時計であっても、親時計−子時計という形態を採っている。
【０００３】
また、塔時計の時刻表示部は屋外に向けて設置され、時刻表示部を制御する親時計は屋内に設置されていることが多い。従って、屋外の時刻表示部を直接監視することが困難なために、屋内に設置する親時計側に屋外の時刻表示部に追従して動作するモニタ時計を設けてある。（例えば、非特許文献１参照）
【０００４】
以下、非特許文献１に記載された従来の塔時計装置を図面にもとづいて説明する。
図６は、従来の塔時計装置の模式図である。図６において、２００は従来の塔時計装置である。塔時計装置２００は、接続線２４０を経由して親時計２１０からの子時計駆動出力信号を塔時計駆動装置２２０に入力し、この塔時計駆動装置２２０で塔時計ムーブメント２３０を駆動する。塔時計駆動装置２２０は、複数の接続線２５０を経由して塔時計ムーブメント２３０に接続され、塔時計ムーブメント２３０の時分指針２３２の停止、定速、早送りの調針、および、モニタを行う。
【０００５】
親時計２１０において、２１１は親時計２１０の現在時刻を示すモニタ時計、２１２は親時計２１０の供給電源であって、通常は商用電源より供給する。接続線２４０を経て出力される子時計駆動出力信号は、有極３０秒パルスである。
【０００６】
塔時計駆動装置２２０において、２２１は塔時計モニタ時計であって、塔時計ムーブメント２３０の運針により出力される後述のバックモニタパルスで駆動される。２２２は塔時計駆動装置２２０の供給電源であって、通常は商用電源より供給する。なお、塔時計駆動装置２２０は後述するように、親時計２１０からの有極３０秒パルスを無極６０秒パルスに変換して塔時計ムーブメント２３０を駆動する制御パルスとしている。
【０００７】
塔時計ムーブメント２３０はモーター、スイッチ、ギア等の受動素子で構成され、２３１は文字盤、２３２は時分指針である。図示していないが、塔時計ムーブメント２３０に内蔵する１個のモーターを動力として、分針を駆動し、分針軸の回転をギヤダウンして時針を連動駆動している。
【０００８】
つまり、図５に示した従来の塔時計装置２００は、塔時計駆動装置２２０と塔時計ムーブメント２３０が子時計に該当し、親時計２１０からの３０秒パルスを基準に塔時計ムーブメント２３０を駆動制御する親時計−子時計という形態となっている。ただし、塔時計ムーブメント２３０は屋外に向けて設置され、親時計２１０および塔時計駆動装置２２０は屋内に設置されるため、塔時計駆動装置２２０と塔時計ムーブメント２３０間は一般的に距離があり、両者を接続する接続線２５０は長く、必要とする線種も、直流電源線、制御線、モニタ線と多く、使用配線本数も多い。
【０００９】
次に、非特許文献１に記載された塔時計駆動装置２２０の詳細を図面にもとづいて説明する。図７は、従来の塔時計駆動装置のブロック図である。図７において、２７１は変換回路で、親時計２１０からの有極３０秒パルスを無極６０秒パルスに変換する。２６８は電源回路である。
【００１０】
２６２は電源回路２６８の商用電源入力端子であり、電源スイッチ２６７を経て電源回路２６８に商用電源を供給する。電源回路２６８は、商用電源から直流電圧に変換し、塔時計駆動直流電源端子２６３より出力する。また、停電事故等で塔時計装置が停止しないために二次電池２６９を備えている。２７３は電源動作中を示す表示灯である。
【００１１】
２６１は親時計２１０から接続線２４０を経由して有極３０秒パルスを入力する駆動制御信号入力端子である。２６４は塔時計ムーブメント２３０の駆動を制御する無極６０秒パルスを出力する塔時計制御信号出力端子である。２７０は調針切換スイッチであり、符号Ａ側は早送り、符号Ｂ側は定速、中間の無接触位置は停止である。
【００１２】
つまり、調針切換スイッチ２７０が符号Ａ側のときは、塔時計制御信号出力端子２６４からは電源回路２６８の直流電圧が出力され、塔時計ムーブメント２３０は連続運針となる。また、調針切換スイッチ２７０が符号Ｂ側のときは、塔時計制御信号出力端子２６４からは６０秒パルスが出力され、塔時計ムーブメント２３０は毎分１回の運針となる。調針切換スイッチ２７０の符号Ａ、Ｂいずれの場合も塔時計ムーブメント２３０は塔時計駆動直流電源端子２６３からの直流電源を動力として、塔時計制御信号出力端子２６４の出力信号に倣って運針するのである。
【００１３】
２６５は塔時計モニタ時計２７２を駆動するバックモニタパルス入力端子である。図示していないが、塔時計ムーブメント２３０は、時分指針２３２の分針が１分進む毎にカムとスイッチ機構により塔時計駆動直流電源端子２６３から供給した直流電圧を６０秒の断続パルスとしてバックモニタパルス入力端子２６５へ送り返す。
【００１４】
つまり、屋内設置した塔時計駆動装置２２０の塔時計駆動直流電源端子２６３、塔時計制御信号出力端２６４、バックモニタパルス入力端子２６５と屋外設置の塔時計ムーブメント２３０間を複数の接続線２５０で配線し、塔時計モニタ時計２７２は、時分指針２３２の分針が１分進む毎に塔時計ムーブメント２３０からのバックモニタパルスにより運針する。
【００１５】
従って、初期設定で、塔時計モニタ時計２７２の指示時刻を塔時計ムーブメント２３０の時分指針２３２の指示時刻に一致させておくことで、前述のように、調針切換スイッチ２７０を操作して両者を現在時刻に合致させることができる。現在時刻に合致した以降は、調針切換スイッチ２７０を符号Ｂ側にすることで塔時計ムーブメント２３０の毎分１回の運針に追従して塔時計モニタ時計２７２が運針するので、塔時計ムーブメント２３０の動作状態を塔時計モニタ時計２７２で監視することができるのである。
【００１６】
【非特許文献１】松下電工株式会社、”直流式親時計駆動制御型塔時計調針器  ＴＡ４１２３９Ｃ  図番ＬＶ−４−２３２，ＢＦ  作成９５１２０６”、［ｏｎｌｉｎｅ］、［平成１９年１月２９日検索］、インターネット＜http://biz.national.jp/Ebox/ecomets/＞、検索用語”ＴＡ４１２３９Ｃ、仕様図、取扱説明書・施工説明書”
【発明の開示】
【発明が解決しようとする課題】
【００１７】
しかしながら、前述の非特許文献１に記載の従来の塔時計装置２００は、親時計２１０から接続線２４０を経由して塔時計駆動装置２２０に有極３０秒の子時計駆動信号を送り、この塔時計駆動装置２２０から複数の接続線２５０を経由して塔時計ムーブメント２３０に無極６０秒の塔時計制御信号と直流電源を送って塔時計ムーブメント２３０を駆動する。従って、親時計２１０と塔時計駆動装置２２０間の接続、および、塔時計駆動装置２２０と塔時計ムーブメント２３０間の複数の接続配線が必須である。
【００１８】
また、図示していないが、親時計２１０の時刻校正をＧＰＳや長波標準電波の時刻情報で自動校正する場合は、親時計２１０と、これら時刻校正受信機への接続と、さらには、この時刻校正受信機と受信アンテナとの接続線も必要となる。
【００１９】
親時計２１０に前記時刻校正受信機を内蔵し、さらには、前記時刻校正受信機を内蔵した親時計２１０の機能を塔時計駆動装置２２０に内蔵しても、屋内設置の塔時計駆動装置２２０と屋外設置の塔時計ムーブメント２３０間は、各対の電源供給線、塔時計制御信号線、バックモニタパルス線の複数の接続配線２５０を必要とする。特に、屋内設置の塔時計駆動装置２２０と屋外設置の塔時計ムーブメント２３０間の距離が長くなると、電源供給線は低電圧直流送電であることから、配線抵抗による電圧降下を考慮して、充分に太い低抵抗電線で配線をしなければならないという問題があった。
【００２０】
また、従来の塔時計装置２００は、停電事故等により供給電源が停止した場合でも、塔時計駆動装置２２０は二次電池２６９を内蔵していて、塔時計装置２００の動作は継続する。しかし、二次電池２６９の充電容量を超える供給電源停止時には、塔時計装置２００は完全に機能停止するので、改めて人為的な初期設定、つまり、塔時計モニタ時計２７２の指示時刻を、塔時計ムーブメント２３０の時分指針２３２の指示時刻に一致させ、調針切換スイッチ２７０を操作して現在時刻に合致させる操作が必須という課題があった。また、定期的に二次電池２６９の保守・交換も必要という課題があった。
【００２１】
すなわち、従来の塔時計装置は、親時計−子時計という形態であり、屋内に設置される親時計やモニタ時計を含む塔時計駆動装置と、屋外に設置される塔時計ムーブメント間を複数の配線で接続しなければならず、また、塔時計ムーブメントが受動的要素で構成されているため、動作開始時の初期設定や動作モニタが必須という課題があった。
【００２２】
そこで、本発明の目的は、上記課題を解決し、設置配線等の工事を容易にし、初期設定や停電事故等による供給電源停止などに対して、全くのメンテナンスフリーな塔時計装置を提供することにある。
【課題を解決するための手段】
【００２３】
本発明の塔時計装置は、基本的には下記記載の構成要件を採用するものである。
ＧＰＳ衛星からの電波を受信し、時刻情報を出力する時刻情報受信機と、時針および分針に対して各々独立した指針位置検出装置および各々独立した指針駆動装置および制御駆動装置を有するムーブメントを備えた塔時計装置であって、前記時刻情報受信機と前記ムーブメントには各々独立して電源を供給し、前記時刻情報受信機と前記ムーブメント間は１対のシリアル信号線で接続し、前記時針の表示時刻と前記分針の表示時刻は、毎正分毎に１回、前記時刻情報受信機の時刻情報に追従して現在時刻を表示することを特徴とする。
【００２４】
また、前記塔時計装置への電源供給が停止した場合は、前記駆動装置による前記時針および分針の指針駆動を停止し、前記塔時計装置への電源供給が復帰した場合は、前記指針位置検出装置が作動する位置まで前記時針および前記分針を駆動し、その後、前記時針および前記分針の指針検出位置を基準に前記時刻情報受信機の時刻情報と一致するまで、前記時針および前記分針を連続駆動することを特徴とする。
【００２５】
また、前記指針位置検出装置が作動する位置でメモリ内容をクリアし、前記時針および分針の駆動毎に、前記時針の指針位置情報と前記分針の指針位置情報を記憶する指針位置メモリを備え、前記塔時計装置への電源供給が停止した場合は、前記駆動装置による前記時針および分針の指針駆動を停止し、前記塔時計装置への電源供給が復帰した場合は、前記指針位置メモリが記憶する指針位置情報と前記時刻情報受信機の時刻情報が一致するまで、前記ムーブメントの前記時針および前記分針を連続駆動することを特徴とする。
【００２６】
また、前記時針の指針位置検出装置は、前記時針の回動軸と前記回動軸を支持する筐体間に配置され、前記時針の回動軸に対して旋回可能で、かつ、固定できることを特徴とする。
【００２７】
また、前記ムーブメントは、時差情報プリセットスイッチ機能を備えたことを特徴とする。
【００２８】
つまり、本発明の塔時計装置は、受信条件の良い場所に設置したＧＰＳ時刻情報受信機と、指針により時刻表示を行うムーブメントに各々独立して電源を供給して、この時刻情報受信機とムーブメント間を１対のシリアル信号線で接続する。また、このムーブメントは、時針および分針に対して各々独立した指針位置検出装置および各々独立した指針駆動装置を備え、指針検出位置を基準に、ＧＰＳ衛星からの時刻情報に指針を同期追従させるのである。
【発明の効果】
【００２９】
以上に述べたように、本発明による塔時計装置は、時針および分針に対して各々独立した指針位置検出装置と指針駆動装置を備えていて、指針検出位置を基準に、ＧＰＳ衛星からの受信時刻情報に対して、時分針を素早く同期追従させるため、停電事故等により塔時計装置への電源供給が停止しても、電源供給が再開すれば、自動的に指針位置が現在時刻に復帰、追従するので、ムーブメントの指針位置を確認するモニタ時計が不要であり、予期せぬ電源供給停止に対する動作補償用二次電池等の搭載も不要である。また、ＧＰＳ衛星からの時刻情報を受信する時刻情報受信機は、時刻表示を行うムーブメントとシリアル信号線で接続するため、任意の場所に設置できる。従って、時刻情報受信機を受信条件の良好な場所に設置できて、時刻表示を行うムーブメントの設置場所にも制約を受けず、信頼性の高い高確度の塔時計装置を提供できる。
【発明を実施するための最良の形態】
【００３０】
本発明による塔時計装置の最も特徴的な点は、時刻情報受信機と、ムーブメントを各々独立して設置し、その両者間を１対のシリアル信号線で接続し、このムーブメントの時針と分針の表示時刻をそれぞれ毎正分毎に１回、受信時刻情報に追従して現在時刻を表示することである。
【００３１】
まず、本発明による塔時計装置の実施形態の全体像を図面により説明する。図１は、本発明による塔時計装置の全体システムを示す模式図である。
塔時計装置１００は、時刻情報受信機１０とムーブメント２０で構成してあり、時刻情報受信機１０とムーブメント２０は１対のシリアル信号線３０で接続してある。
時刻情報受信機１０は、ＧＰＳ信号受信機１１と受信アンテナ１２で構成され、外部からの供給電源１９により作動し、ＧＰＳ衛星からの受信時刻情報をシリアル信号線３０経由でムーブメント２０に伝送する。
【００３２】
ムーブメント２０は、制御駆動装置４０と駆動機構５０と文字盤７１、時針７２、分針７３で構成されている。制御駆動装置４０は、外部からの供給電源４９と、シリアル信号線３０からの時刻情報により作動し、駆動機構５０を駆動する。駆動機構５０は、時針７２および分針７３を駆動し、シリアル信号線３０からの時刻情報に追従して、毎分１回現在時刻を表示させる。なお、本実施形態の塔時計装置は、時刻表示面を屋外に露出することを前提としているので、時針７２および分針７３は、風雪、日光暴露に耐える頑強な造りとしてある。
【００３３】
また、時刻情報受信機１０からムーブメント２０への受信時刻情報の伝送は、例えば、ＲＳ２３２Ｃ形式で、伝送速度は９６００ｂｐｓを使用する。従って、シリアル信号線３０は１対のツィストペア線を用い、時刻情報受信機１０とムーブメント２０の間は１ｋｍ程度まで離して設置することができる。また、シリアル信号線３０の途中にブースターを挿入することで、更に伝送距離は延長できる。
【００３４】
次に、前述した制御駆動装置４０と駆動機構５０の詳細を図面により説明する。図２は、本発明による制御駆動装置と駆動機構のブロック図である。
制御駆動装置４０は、演算回路４１の周辺に、時刻情報入力インターフェイス４２、指針位置メモリ４３、時差情報プリセットスイッチ４４、時針位置入力インターフェイス４５、時針駆動回路４６、分針位置入力インターフェイス４７、分針駆動回路４８を備えていて、制御駆動装置４０への電源は外部の供給電源４９より供給する。また、時刻情報は、シリアル信号線３０経由で時刻情報入力インターフェイス４２へ入力する。
【００３５】
駆動機構５０は、時針位置検出装置５４、時針駆動モーター５２、分針位置検出装置６６、分針駆動モーター６２で構成してある。時針位置検出装置５６の出力信号は、時針位置入力インターフェイス４５と接続し、分針位置検出装置６６は分針位置入力インターフェイス４７と接続して、指針位置情報を制御駆動装置４０に伝える。また、時針駆動モーター５２は時針駆動回路４６に接続し、分針駆動モーター６２は分針駆動回路４８に接続してあり、それぞれのモーターを駆動する。
【００３６】
次に、前述した駆動機構５０の詳細を図面により説明する。図３は、本発明による駆動機構の平面図である。駆動機構５０は、時針系と分針系で構成してある。
時針系は、時針駆動モーター５２に直結したねじ歯車（ウォーム）５３と、これに回転軸が直交するはす歯歯車（ウォームホィール）５４で形成するウォームギア機構と、このはす歯歯車５３と同軸上の時針軸５５に固定したスリット円盤５６ｂと、スリット円盤５６ｂのスリット通過を検出する光検出器５６ａより構成する。スリット円盤５６ｂと光検出器５６ａが時針位置検出装置５６であり、時針軸５５の１回転に１回時針軸５５と同軸に固定したスリット円盤５６ｂのスリット通過を光学的に検出する。
【００３７】
分針系は、分針駆動モーター６２に直結したねじ歯車（ウォーム）６３と、これに回転軸が直交するはす歯歯車（ウォームホィール）６４で形成するウォームギア機構と、このはす歯歯車６４と同軸上の分針軸６５に固定したスリット円盤６６ｂと、スリット円盤６６ｂのスリット通過を検出する光検出器６６ａより構成する。スリット円盤６６ｂと光検出器６６ａが分針位置検出装置６６であり、分針軸６５の１回転に１回分針軸６５と同軸に固定したスリット円盤６６ｂのスリット通過を光学的に検出する。
【００３８】
時針軸５５と分針軸６５は、時針軸５５の中心部を分針軸６５が同軸上に貫いている。そして、図１に示した文字盤７１上に時針軸５５と分針軸６５の端部が露呈して、時針７２および分針７３をそれぞれ固定する。
【００３９】
また、時針位置検出装置５６の作動する位置は、あらかじめ、ムーブメント２０を設置する際に、図１に示した時針７２が０時位置を指示した位置に設定する。同様に、分針位置検出装置６６の作動する位置は、分針７３が０分位置を指示した位置に設定する。
【００４０】
次に、上記説明した本発明による塔時計装置の動作を、図１〜図３にもとづいて説明する。
図１および図２に示した制御駆動装置４０に外部から供給電源４９が供給されると、内部レジスターに時計機能を内蔵した演算回路４１は、初期状態から起動し、時針駆動モーター５２と分針駆動モーター６２をそれぞれの時針位置検出装置５６、および、分針位置検出装置６６が指針位置を検出するまで連続駆動する。時分針の指針位置を検出すると、演算回路４１の内蔵時計機能もクリアする。つまり、時針位置検出装置５６と分針位置検出装置６６は、それぞれ０時、および、０分位置であるから、時針７２と分針７３および内蔵時計機能は０時０分が基点となる。
【００４１】
次いで、０時０分位置を基点に、時針７２と分針７３は、時刻情報受信機１１からの時刻情報にもとづいて、前記時刻情報に一致するまで連続駆動する。かくして、時針７２と分針７３の表示時刻を時刻情報受信機１１からの時刻情報に同期させるのである。なお、時針駆動モーター５２と分針駆動モーター６２は各々独立したパルスモーターであるから、時針７２と分針７３は同時動作で時刻情報に素早く一致させることができる。同期以降は、時刻情報が１分を刻む毎に時針駆動モーター５２と分針駆動モーター６２を１分間に相当するパルス駆動を行う。
【００４２】
以上に述べたように、本発明によれば、時針および分針に対して各々独立した指針位置検出装置と指針駆動装置を備えていて、指針検出位置を基準に、ＧＰＳ衛星からの受信時刻情報に対して、時分針を素早く同期追従させるため、予期せぬ停電事故等により塔時計装置への電源供給が停止しても、電源供給が再開すれば、自動的に指針位置が現在時刻に復帰、追従する。また、ＧＰＳ衛星からの時刻情報を受信する時刻情報受信機は、時刻表示を行うムーブメントとシリアル信号線で接続するため、任意の場所に設置でき、時刻情報受信機を受信条件の良好な場所に設置でき、時刻表示を行うムーブメントの設置場所に制約を受けず、信頼性の高い高確度の塔時計装置を提供できる。
【００４３】
次に、予期せぬ停電事故等により塔時計装置への電源供給が停止、復帰した場合に時刻同期を行う他の実施形態を説明する。その時刻同期方法は、電源供給停止時の指針位置を指針位置メモリに記憶することを特徴とする。
【００４４】
つまり、針位置メモリ４３は不揮発性メモリ、または、バックアップ乾電池により記憶内容を保持できるメモリである。また、時針７２と分針７３が、０時０分位置を基点として時刻情報に同期させることで、時針７２と分針７３が指し示す指針位置を１分刻みで数値化したデータを得られる。つまり、針位置メモリ４３は、時針７２と分針７３が指し示す指針位置データを毎分時針７２と分針７３が駆動される都度、現在の指針位置データとして更新記憶するのである。
【００４５】
本発明による塔時計装置は、外部からの供給電源４９が停電事故等で停止すると、制御駆動装置４０の動作をバックアップする二次電池等を搭載していないので、時針７２と分針７３は供給電源４９が停止した位置で停止する。しかし、供給電源４９が回復すると、現在の指針位置は針位置メモリ４３に記憶されているから、時刻情報受信機１１からシリアル信号線３０を経由して入力される時刻情報と一致するまで時針７２と分針７３を進めることで、再び塔時計装置は時刻情報受信機１１からの時刻情報に同期するのである。
【００４６】
次に、本発明による塔時計装置の時差補正手段の実施形態を説明する。ＧＰＳ受信機１１により得られる時刻情報はＵＴＣ（Universal Time Coordinated：協定世界時）である。図１における塔時計装置１００は、通常その塔時計装置を設置した地域の地方時で時刻表示をしなければならない。
【００４７】
図４は、本発明による時差設定機構の斜視図である。時針軸５５にスリット円盤５６ｂを時差に対応して固定するのであるが、ここでは、時針軸５５のスリット円盤５６ｂを固定する面に位置決めピン５５ａを設け、また、スリット円盤５６ｂには１２個の位置決め穴５６ｄを設けてある。つまり、位置決めピン５５ａと位置決め穴５６ｄのいずれかを合わせることで、スリット円盤５６ｂ上のスリット５６ｃの位置が時針軸５５に対して１時間刻みでインデックスできるのである。
【００４８】
５７はスリット円盤５６ｂを位置決めピン５５ａの面に押しつけ固定するバネである。また、図５において、６５は、分針軸であり、時針軸５５の同軸中心部を貫通している様子を示す。
【００４９】
つまり、本発明による塔時計装置の時差補正手段は、時針軸５５の回動軸に対して、旋回可能で、かつ、固定できるように時針位置検出装置５６のスリット円盤５６ｂをバネ５７で押圧固定してあり、１時間刻みでインデックスできるので、塔時計装置を設置した地域の地方時表示が容易にできるのである。
【００５０】
次に、本発明による塔時計装置のサマータイム設定手段の実施形態を説明する。サマータイムは、地域によって、実施する場合もあれば、実施しない地域もある。また、サマータイムを実施する場合であっても、実施時期が変動する。従って、塔時計装置１００に設けるサマータイム設定手段は人為的に設定することが好ましい。
【００５１】
そこで、本発明による塔時計装置１００のサマータイム設定手段は、図２により説明した時差情報プリセットスイッチ４４により行う。つまり、スイッチ４４がＯＮであれば、演算回路４１は塔時計装置１００に対して時刻情報入力インターフェイス４２で受信したＵＴＣ時刻を１時間進め、ＯＦＦであれば、そのままＵＴＣ時刻を適用する。
【００５２】
以上、本発明による塔時計装置の構成、および、動作の詳細を説明したが、時差補正手段および、サマータイム設定手段は、いずれも時刻情報入力インターフェイス４２で受信したＵＴＣ時刻を基準に、１時間刻みで表示時刻を補正するのであるから、前述のスリット円盤５６ｂを時針軸５５に対して１時間刻みにインデックスする時差補正手段をサマータイム設定に兼ねても良い。また、サマータイム設定手段に用いる時差情報プリセットスイッチ４４を、例えば４組もしくは５組のＯＮ／ＯＦＦが設定できるディップスイッチ等、複数のスイッチで構成し、４ビットもしくは５ビットまでの、つまり、１２時間か２４時間の時差補正設定を兼ねても良い。
【００５３】
次に、本発明による塔時計装置の応用例を説明する。図５は、本発明による複数の塔時計装置の全体システムを示す模式図である。
ＧＰＳ信号受信機１１と受信アンテナ１２で構成され、外部からの供給電源１９から構成する時刻情報受信機１０は１式である。時刻情報受信機１０からの時刻情報はシリアル信号線３０ａを経由して、複数の時計２０ａ、２０ｂ、２０ｃ、２０ｄ、２０ｅ、２０ｆに分岐、供給される。４９ａ、４９ｂ、４９ｃ、４９ｄ、４９ｅ、４９ｆは上記複数の時計２０ａ、２０ｂ、２０ｃ、２０ｄ、２０ｅ、２０ｆに個別に供給する電源である。また、２０ａ、２０ｂ、２０ｃは、指針式時計、２０ｄ、２０ｅはデジタル式時計である。
【００５４】
つまり、本発明の塔時計装置は、複数の時計に対しても、ＧＰＳ衛星からの受信時刻情報に対して、時分針や表示時刻を素早く同期追従させるため、停電事故等により塔時計装置への電源供給が停止しても、電源供給が再開すれば、自動的に現在時刻に復帰、追従する。従って、予期せぬ電源供給停止に対する動作補償用二次電池等の搭載も不要である。また、ＧＰＳ衛星からの時刻情報を受信する時刻情報受信機は、時刻表示を行うムーブメントとシリアル信号線で接続するため、任意の場所に設置できる。従って、時刻情報受信機を受信条件の良好な場所に設置できて、時刻表示を行うムーブメントの設置場所にも制約を受けず、信頼性の高い高確度の塔時計装置を提供できる。
【００５５】
なお、上述した本発明による塔時計装置は、時刻情報受信機にＧＰＳ受信機を使用する構成例を説明したが、時刻情報受信機は、長波標準電波を受信するものであっても同様な構成とすることができる。
【図面の簡単な説明】
【００５６】
【図１】本発明による塔時計装置の全体システムを示す模式図である。
【図２】本発明による制御駆動装置と駆動機構のブロック図である。
【図３】本発明による駆動機構の平面図である。
【図４】本発明による時差設定機構の斜視図である。
【図５】本発明による複数の塔時計装置の全体システムを示す模式図である。
【図６】従来の塔時計装置の模式図である。
【図７】従来の塔時計駆動装置のブロック図である。
【符号の説明】
【００５７】
１００  塔時計装置
１０  時刻情報受信機
１１  ＧＰＳ信号受信機
１２  受信アンテナ
１９、４９  供給電源
２０  ムーブメント
３０  シリアル信号線
４０  制御駆動装置
４１  演算回路
４２  時刻情報入力インターフェイス
４３  指針位置メモリ
４４  プリセットスイッチ
４５  時針位置入力インターフェイス
４６  時針駆動回路
４７  分針位置入力インターフェイス
４８  分針駆動回路
５０  駆動機構
５２  時針駆動モーター
５４  時針位置検出装置
５５  時針軸
５５ａ  位置決めピン
５６  時針位置検出装置
５６ｂ、６６ｂ  スリット円盤
５６ｄ  位置決め穴
６２  分針駆動モーター
６５  分針軸
６６  分針位置検出装置
６６ｂ  スリット円盤
７２  時針
７３  分針
【図１】
2008209270.tif 000003
【図２】
2008209270.tif 000004
【図３】
2008209270.tif 000005
【図４】
2008209270.tif 000006
【図５】
2008209270.tif 000007
【図６】
2008209270.tif 000008
【図７】
2008209270.tif 000009